(57)【要約】  陰極フィラメントの軸合わせのための陰極側の側管の変形を保持して、マグネトロンの外装組み立て作業時の軸合わせが不要となるマグネトロンを提供すること。  本発明のマグネトロンは、陽極筒体（１１）と、前記陽極筒体の下部に気密結合された陰極側の側管（１５）と、略垂直方向に延びる円筒状部と、前記円筒状部に接続され、前記筒上部の全周に亘って、略水平方向に延びるフランジ部と、前記フランジ部の一部を前記陰極側の側管側に折り曲げた折り曲げ部と、を有し、前記陽極筒体の下端部で前記陰極側の側管に電気結合されたシールド筒体（１６）と、を備える。
2010073564.tif 000002
【特許請求の範囲】
【請求項１】
陽極筒体と、
前記陽極筒体の下部に気密結合された陰極側の側管と、
略垂直方向に延びる円筒状部と、前記円筒状部に接続され、前記筒上部の全周に亘って、略水平方向に延びるフランジ部と、前記フランジ部の一部を前記陰極側の側管側に折り曲げた折り曲げ部と、を有し、前記陽極筒体の下端部で前記陰極側の側管に電気結合されたシールド筒体と、を備えるマグネトロン。
【請求項２】
前記折り曲げ部は、前記フランジ部の一部である前記フランジ部の自由端を前記陰極側の側管側に折り曲げることで形成される、請求項１に記載のマグネトロン。
【請求項３】
前記シールド筒体の前記折り曲げ部は、前記フランジ部の一部を略コの字状に切り込みを入れて、当該フランジ部の切り込み部分を、前記陰極側の側管側に折り曲げることで形成される、請求項１に記載のマグネトロン。
【請求項４】
請求項１乃至請求項３のいずれか一項に記載のマグネトロンが搭載されたマイクロ波利用機器。
【発明の詳細な説明】
【技術分野】
【０００１】
本発明は、マグネトロン及びマイクロ波利用機器に関し、特に、電子レンジ等のマイクロ波利用機器に用いるマグネトロンに関する。
【背景技術】
【０００２】
特許文献１に記載のマグネトロンでは、小空隙形成用の小突起を散設した円環状継鉄板を介在させるために、折り曲げ加工を行って、磁極片（以下、ポールピース）と前記焼結磁石（以下、環状磁石）との間に空隙を形成している。そして、ポールピースと前記環状磁石との間の空隙に、マグネトロン動作時に発生する電磁波を装置外に漏洩するのを防ぐために、円環状継鉄板を介在させる技術が開示されている。
【先行技術文献】
【特許文献】
【０００３】
【特許文献１】日本国特開平５−８２０２９号公報
【発明の概要】
【発明が解決しようとする課題】
【０００４】
従来、マグネトロンのコアチューブは、陰極側の側管を変形させて同軸調整を行なっているので、ポールピースと環状磁石との間の構成方法によって、マグネトロンの外装を組み立てる時に、陰極側の側管とシールド筒体とが接触して、調整した同軸が調整前の状態に戻ってしまう場合がある。【０００５】
本発明の目的は、陰極フィラメントの同軸調整のための陰極側の側管の変形を保持した状態で、マグネトロンの外装組み立て作業が行えるマグネトロンを提供することである。
【課題を解決するための手段】
【０００６】
本発明は、陽極筒体と、前記陽極筒体の下部に気密結合された陰極側の側管と、略垂直方向に延びる円筒状部と、前記円筒状部に接続され、前記筒上部の全周に亘って、略水平方向に延びるフランジ部と、前記フランジ部の一部を前記陰極側の側管側に折り曲げた折り曲げ部と、を有し、前記陽極筒体の下端部で前記陰極側の側管に電気結合されたシールド筒体と、を備えるマグネトロンを提供する。【０００７】
上記マグネトロンにおいて、前記折り曲げ部は、前記フランジ部の一部である前記フランジ部の自由端を前記陰極側の側管側に折り曲げることで形成される。【０００８】
上記マグネトロンにおいて、前記折り曲げ部は、前記フランジ部の一部を略コの字状に切り込みを入れて、当該フランジ部の切り込み部分を、前記陰極側の側管側に折り曲げることで形成される。【０００９】
本発明のマイクロ波利用機器は、上記マグネトロンを搭載する。
【発明の効果】
【００１０】
本発明に係るマグネトロンによれば、陰極フィラメントの同軸調整のための陰極側の側管の変形を保持した状態で、マグネトロンの外装組み立てが行える。
【図面の簡単な説明】
【００１１】
【図１】本実施の形態のマグネトロン１の全体構成を示す図
【図２】（ａ）シールド筒体１６を上方から見た平面図、（ｂ）シールド筒体１６の断面図
【図３】（ａ）マグネトロン１にシールド筒体１６及び環状磁石１８を組み込む前の図１の点線で囲まれた範囲Ａの拡大断面図、（ｂ）マグネトロン１にシールド筒体１６及び環状磁石１８を組み込んだ後の範囲Ａの拡大断面図、（ｃ）マグネトロン１に従来のシールド筒体９６及び環状磁石１８を組み込んだ後の範囲Ａの拡大断面図
【図４】（ａ）本実施の形態におけるシールド筒体の他の実施例であるシールド筒体３６を上方から見た平面図、（ｂ）シールド筒体３６の断面図
【発明を実施するための形態】
【００１２】
以下、本発明の実施形態について、図面を参照して説明する。
【００１３】
図１は、本実施の形態のマグネトロン１の全体構成を示す図である。
図１において、本実施の形態１のマグネトロン１は、磁気ヨーク１０と、陽極筒体１１と、陽極筒体１１の上端開口部に結合された出力側ポールピース１２と、陽極筒体１１の下端開口部に結合された入力側ポールピース１３と、出力側ポールピース１２を覆い陽極筒体１１の上端開口部に気密結合された陽極側の側管１４と、入力側ポールピース１３を覆い陽極筒体１１の下端開口部に気密結合された陰極側の側管１５と、陽極筒体１１の直上でかつ陽極側の側管１４に挿入するように磁気ヨーク１０内に配置された環状磁石１７と、陽極筒体１１の直下でかつ陰極側の側管１５に挿入するように磁気ヨーク１０内に配置された環状磁石１８と、を有する。
【００１４】
また、本発明の特徴の１つであるシールド筒体１６が、陽極筒体１１の下端開口部に気密結合された陰極側の側管１５と、陽極筒体１１の直下で磁気ヨーク１０内に配置された環状磁石１８との間に介在する。シールド筒体１６は、図１に示すように、陰極側の側管１５と環状磁石１８との間に介在することで、マグネトロン１の内部で発生した電磁波が装置外に漏洩することを防ぐことができる。また、環状磁石１８の温度上昇による破損や高温減磁を防ぐ機能もある。
【００１５】
陽極筒体１１の内部には、螺旋状の陰極フィラメント２３と、陰極フィラメント２３を支持するセンターリード２６と、複数のアノードベイン１９と、一枚のアノードベイン１９から陽極筒体１１の中心軸に沿って上方へ延びる出力アンテナ２０と、が備えられている。複数のアノードベイン１９は、陽極筒体１１の内周面に沿って、所定の間隔で配置される。出力アンテナ２０は、一枚のアノードベイン１９から陽極筒体１１の上端開口部に結合された出力側ポールピース１２へ向って延び、出力側ポールピース１２の斜壁の一部に形成された孔１２ａを介して、さらに、陽極筒体１１の中心軸に沿って上方へ延びる。螺旋状の陰極フィラメント２３は、陽極筒体１１の中心軸に沿って、上エンドシールド２４から下エンドシールド２５まで延びている。陰極フィラメント２３の一端は、上エンドシールド２４に固着され、陰極フィラメント２３の他端は、下エンドシールド２５に固着されている。
センターリード２６は、陰極フィラメント２３の内部で、上エンドシールド２４から、図示しないステムまで延びている。センターリード２６は、上エンドシールドと固着し陰極フィラメント２３を支持する。
【００１６】
次に、図２（ａ）、（ｂ）を参照して、本発明の特徴の１つであるシールド筒体１６の全体構成を説明する。図２（ａ）は、シールド筒体１６を上方から見た平面図であり、図２（ｂ）は、シールド筒体１６の断面図を示す。
【００１７】
図２（ａ）、（ｂ）に示すように、シールド筒体１６は、略垂直方向に延びている円筒状部１６Ａと、円筒状部１６Ａの一端から、円筒状部１６Ａの全周に亘って略水平方向に延びるフランジ部１６Ｂとを備え、全体としてハトメ状の筒体として構成されている。また、図２（ａ）に示すように、フランジ部１６Ｂの端部に形成された折り曲げ部１６Ｃは、フランジ部１６Ｂの全周に亘って、所定の間隔で配置されている。また、図２（ｂ）の矢印で示すように、折り曲げ部１６Ｃは、フランジ部１６Ｂの自由端を、シールド筒体１６の円筒状部１６Ａの外側から内側に向けて折り曲げることで形成されている。
【００１８】
次に、図３（ａ）、（ｂ）、（ｃ）を参照し、マグネトロン１にシールド筒体１６及び環状磁石１８を組み込む作業について、本実施の形態と従来例とを比較する。
図３（ａ）は、マグネトロン１にシールド筒体１６及び環状磁石１８を組み込む前の図１の点線で囲まれた範囲Ａの拡大断面図であって、図３（ｂ）は、マグネトロン１にシールド筒体１６及び環状磁石１８を組み込んだ後の範囲Ａの拡大断面図である。また、図３（ｃ）は、マグネトロン１に従来のシールド筒体９６及び環状磁石１８を組み込んだ後の範囲Ａの拡大断面図である。
【００１９】
図３（ａ）に示すように、陽極筒体１１の下端開口部１１Ａに気密結合された陰極側の側管１５のフランジ部１５Ｂは、フランジ部１５Ｂの自由端から円筒状部１５Ａに向けて下方に傾斜している。そのため、磁気ヨーク１０からフランジ部１５Ｂまでの高さは、フランジ部１５Ｂの自由端から円筒状部１５Ａに向けて、低くなっている。したがって、シールド筒体１６及び環状磁石１８を組み込むスペースは、陽極筒体１１の下端開口部１１Ａから陽極筒体１１の中心軸に向うにつれ、わずかながら狭くなっている。このように、陰極側の側管１５のフランジ部１５Ｂが、フランジ部１５Ｂの自由端から円筒状部１５Ａに向けて傾斜しているのは、陽極筒体１１の内部の陰極フィラメント２３の軸を陽極筒体１１の軸に合わせるために、マグネトロン１にシールド筒体１６及び環状磁石１８を組み込む前に、陰極側の側管１５を変形させ同軸調整を行なったためである。
そのため、陰極側の側管１５が同軸調整を行なった状態から変形させないようにする必要がある。
【００２０】
しかしながら、図３（ｃ）に示すように、従来例のシールド筒体９６は、フランジ部９６Ｂの端部に形成された折り曲げ部９６Ｃが、陰極側の側管１５の側ではなく、環状磁石１８の側に折り曲げられている。そのため、フランジ部９６Ｂと円筒状部９６Ａとの境界部分が、陰極側の側管１５の円筒状部１５Ａとフランジ部１５Ｂとの境界部分に接触し、陰極側の側管１５が同軸調整を行なった状態から変形してしまい陽極筒体１１の内部の陰極フィラメント２３の軸と陽極筒体１１の軸がずれてしまう。
【００２１】
そこで、本実施の形態では、図３（ｂ）に示すように、シールド筒体１６をマグネトロン１に組み込んだ時に、フランジ部１６Ｂの自由端に形成された折り曲げ部１６Ｃが、陰極側の側管１５側に折り曲げられている。言い換えると、折り曲げ部１６Ｃは、フランジ部１６Ｂに対して、環状磁石１８の側ではなく、陰極側の側管１５の側に突出している。そのため、シールド筒体１６のフランジ部１６Ｂと円筒状部１６Ａとの境界部分が、円筒状部１５Ａとフランジ部１５Ｂとの境界部分に接触せず、陰極側の側管１５が同軸調整を行なった状態から変形することがない。
【００２２】
したがって、本実施の形態のマグネトロン１は、陽極筒体１１の内部の陰極フィラメント２３の軸を陽極筒体１１の軸に合わせるために行う陰極側の側管１５の変形を保持することができる。また、この陰極側の側管１５の変形を保持できるので、再度同軸調整が不要となりマグネトロン１の外装組み立て作業が容易になる。
【００２３】
図４（ａ）、（ｂ）に示すように、本実施の形態におけるシールド筒体の他の実施例を示す。図４（ａ）は、本実施の形態におけるシールド筒体の他の実施例であるシールド筒体３６を上方から見た平面図であり、図４（ｂ）は、シールド筒体３６の断面図を示す。
【００２４】
図４（ａ）、（ｂ）に示すように、シールド筒体３６は、略垂直方向に延びる円筒状部３６Ａと、円筒状部３６Ａの一端から、円筒状部３６Ａの全周に亘って略水平方向に延びるフランジ部３６Ｂとを備え、全体としてハトメ状の筒体として構成されている。また、図４（ａ）に示すように、フランジ部３６Ｂに形成された折り曲げ部３６Ｃは、フランジ部３６Ｂの全周に亘って、所定の間隔で配置されている。また、図４（ｂ）の矢印で示すように、折り曲げ部３６Ｃは、フランジ部３６Ｂの一部に略コの字状に切り込みを入れて、フランジ部３６Ｂの切り込み部分を、陰極側の側管１５に側に向けて折り曲げることで形成されている。
【００２５】
ここで、マグネトロン１にシールド筒体３６を組み込む場合、本実施の形態におけるシールド筒体１６と同様、シールド筒体３６をマグネトロン１に組み込んだ時に、折り曲げ部３６Ｃが、陰極側の側管１５の側に突出する。そのため、シールド筒体３６のフランジ部３６Ｂと円筒状部３６Ａとの境界部分が、陰極側の側管１５の円筒状部１５Ａとフランジ部１５Ｂとの境界部分に接触せず、陰極側の側管１５が同軸調整を行なった状態から変形することがない。
【００２６】
したがって、本実施の形態におけるシールド筒体１６の代わりに、他の実施例であるシールド筒体３６を用いても、本実施の形態のマグネトロン１は、陽極筒体１１の内部の陰極フィラメント２３の軸を陽極筒体１１の軸に合わせるために行う陰極側の側管１５の変形を保持することができる。また、この陰極側の側管１５の変形を保持できるので、再度軸合わせが不要となりマグネトロン１の外装組み立て作業が容易になる。
【００２７】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００２８】
本出願は、2008年12月25日出願の日本特許出願（特願2008−329943）に基づくものであり、その内容はここに参照として取り込まれる。
【産業上の利用可能性】
【００２９】
本発明に係るマグネトロンは、陰極フィラメントの軸合わせための陰極側の側管の変形を保持して、マグネトロンの外装組み立て作業時の軸合わせが不要となるという効果を有し、電子レンジ等のマイクロ波利用機器等として有用である。また、本発明に係るマイクロ波利用機器は、安定した特性を得ることが可能となる。  
【符号の説明】
【００３０】
１              マグネトロン
１０            磁気ヨーク
１１            陽極筒体
１１Ａ          下端開口部
１２            出力側ポールピース
１２ａ          孔
１３            入力側ポールピース
１４            陽極側の側管
１５            陰極側の側管
１５Ａ          円筒状部
１５Ｂ          フランジ部
１６            シールド筒体
１６Ａ          円筒状部
１６Ｂ          フランジ部
１６Ｃ          折り曲げ部
１７            環状磁石
１８            環状磁石
１９            アノードベイン
２０            出力アンテナ
２３            陰極フィラメント
２４            上エンドシールド
２５            下エンドシールド
２６            センターリード
３６            シールド筒体
３６Ａ          円筒状部
３６Ｂ          フランジ部
３６Ｃ          折り曲げ部
９６            シールド筒体
９６Ａ          円筒状部
９６Ｂ          フランジ部
９６Ｃ          折り曲げ部
【図１】
2010073564.tif 000003
【図２】
2010073564.tif 000004
【図３】
2010073564.tif 000005
【図４】
2010073564.tif 000006
【手続補正書】
【提出日】平成23年6月14日(2011.6.14)
【手続補正１】
【補正対象書類名】明細書
【補正対象項目名】全文
【補正方法】変更
【補正の内容】
【発明の詳細な説明】
【技術分野】
【０００１】
本発明は、マグネトロン及びマイクロ波利用機器に関し、特に、電子レンジ等のマイクロ波利用機器に用いるマグネトロンに関する。
【背景技術】
【０００２】
特許文献１に記載のマグネトロンでは、小空隙形成用の小突起を散設した円環状継鉄板を介在させるために、折り曲げ加工を行って、磁極片（以下、ポールピース）と前記焼結磁石（以下、環状磁石）との間に空隙を形成している。そして、ポールピースと前記環状磁石との間の空隙に、マグネトロン動作時に発生する電磁波を装置外に漏洩するのを防ぐために、円環状継鉄板を介在させる技術が開示されている。
【先行技術文献】
【特許文献】
【０００３】
【特許文献１】日本国特開平５−８２０２９号公報
【発明の概要】
【発明が解決しようとする課題】
【０００４】
従来、マグネトロンのコアチューブは、陰極側の側管を変形させて同軸調整を行なっているので、ポールピースと環状磁石との間の構成方法によって、マグネトロンの外装を組み立てる時に、陰極側の側管とシールド筒体とが接触して、調整した同軸が調整前の状態に戻ってしまう場合がある。
【０００５】
本発明の目的は、陰極フィラメントの同軸調整のための陰極側の側管の変形を保持した状態で、マグネトロンの外装組み立て作業が行えるマグネトロンを提供することである。
【課題を解決するための手段】
【０００６】
本発明は、陽極筒体と、前記陽極筒体の下部に気密結合された陰極側の側管と、略垂直方向に延びる円筒状部と、前記円筒状部に接続され、前記筒上部の全周に亘って、略水平方向に延びるフランジ部と、前記フランジ部の一部を前記陰極側の側管側に折り曲げた折り曲げ部と、を有し、前記陽極筒体の下端部で前記陰極側の側管に電気結合されたシールド筒体と、を備えるマグネトロンを提供する。
【０００７】
上記マグネトロンにおいて、前記折り曲げ部は、前記フランジ部の一部である前記フランジ部の自由端を前記陰極側の側管側に折り曲げることで形成される。
【０００８】
上記マグネトロンにおいて、前記折り曲げ部は、前記フランジ部の一部を略コの字状に切り込みを入れて、当該フランジ部の切り込み部分を、前記陰極側の側管側に折り曲げることで形成される。
【０００９】
本発明のマイクロ波利用機器は、上記マグネトロンを搭載する。
【発明の効果】
【００１０】
本発明に係るマグネトロンによれば、陰極フィラメントの同軸調整のための陰極側の側管の変形を保持した状態で、マグネトロンの外装組み立てが行える。
【図面の簡単な説明】
【００１１】
【図１】本実施の形態のマグネトロン１の全体構成を示す図
【図２】（ａ）シールド筒体１６を上方から見た平面図、（ｂ）シールド筒体１６の断面図
【図３】（ａ）マグネトロン１にシールド筒体１６及び環状磁石１８を組み込む前の図１の点線で囲まれた範囲Ａの拡大断面図、（ｂ）マグネトロン１にシールド筒体１６及び環状磁石１８を組み込んだ後の範囲Ａの拡大断面図、（ｃ）マグネトロン１に従来のシールド筒体９６及び環状磁石１８を組み込んだ後の範囲Ａの拡大断面図
【図４】（ａ）本実施の形態におけるシールド筒体の他の実施例であるシールド筒体３６を上方から見た平面図、（ｂ）シールド筒体３６の断面図
【発明を実施するための形態】
【００１２】
以下、本発明の実施形態について、図面を参照して説明する。
【００１３】
図１は、本実施の形態のマグネトロン１の全体構成を示す図である。
図１において、本実施の形態１のマグネトロン１は、磁気ヨーク１０と、陽極筒体１１と、陽極筒体１１の上端開口部に結合された出力側ポールピース１２と、陽極筒体１１の下端開口部に結合された入力側ポールピース１３と、出力側ポールピース１２を覆い陽極筒体１１の上端開口部に気密結合された陽極側の側管１４と、入力側ポールピース１３を覆い陽極筒体１１の下端開口部に気密結合された陰極側の側管１５と、陽極筒体１１の直上でかつ陽極側の側管１４に挿入するように磁気ヨーク１０内に配置された環状磁石１７と、陽極筒体１１の直下でかつ陰極側の側管１５に挿入するように磁気ヨーク１０内に配置された環状磁石１８と、を有する。
【００１４】
また、本発明の特徴の１つであるシールド筒体１６が、陽極筒体１１の下端開口部に気密結合された陰極側の側管１５と、陽極筒体１１の直下で磁気ヨーク１０内に配置された環状磁石１８との間に介在する。シールド筒体１６は、図１に示すように、陰極側の側管１５と環状磁石１８との間に介在することで、マグネトロン１の内部で発生した電磁波が装置外に漏洩することを防ぐことができる。また、環状磁石１８の温度上昇による破損や高温減磁を防ぐ機能もある。
【００１５】
陽極筒体１１の内部には、螺旋状の陰極フィラメント２３と、陰極フィラメント２３を支持するセンターリード２６と、複数のアノードベイン１９と、一枚のアノードベイン１９から陽極筒体１１の中心軸に沿って上方へ延びる出力アンテナ２０と、が備えられている。複数のアノードベイン１９は、陽極筒体１１の内周面に沿って、所定の間隔で配置される。出力アンテナ２０は、一枚のアノードベイン１９から陽極筒体１１の上端開口部に結合された出力側ポールピース１２へ向って延び、出力側ポールピース１２の斜壁の一部に形成された孔１２ａを介して、さらに、陽極筒体１１の中心軸に沿って上方へ延びる。螺旋状の陰極フィラメント２３は、陽極筒体１１の中心軸に沿って、上エンドシールド２４から下エンドシールド２５まで延びている。陰極フィラメント２３の一端は、上エンドシールド２４に固着され、陰極フィラメント２３の他端は、下エンドシールド２５に固着されている。センターリード２６は、陰極フィラメント２３の内部で、上エンドシールド２４から、図示しないステムまで延びている。センターリード２６は、上エンドシールドと固着し陰極フィラメント２３を支持する。
【００１６】
次に、図２（ａ）、（ｂ）を参照して、本発明の特徴の１つであるシールド筒体１６の全体構成を説明する。図２（ａ）は、シールド筒体１６を上方から見た平面図であり、図２（ｂ）は、シールド筒体１６の断面図を示す。
【００１７】
図２（ａ）、（ｂ）に示すように、シールド筒体１６は、略垂直方向に延びている円筒状部１６Ａと、円筒状部１６Ａの一端から、円筒状部１６Ａの全周に亘って略水平方向に延びるフランジ部１６Ｂとを備え、全体としてハトメ状の筒体として構成されている。また、図２（ａ）に示すように、フランジ部１６Ｂの端部に形成された折り曲げ部１６Ｃは、フランジ部１６Ｂの全周に亘って、所定の間隔で配置されている。また、図２（ｂ）の矢印で示すように、折り曲げ部１６Ｃは、フランジ部１６Ｂの自由端を、シールド筒体１６の円筒状部１６Ａの外側から内側に向けて折り曲げることで形成されている。
【００１８】
次に、図３（ａ）、（ｂ）、（ｃ）を参照し、マグネトロン１にシールド筒体１６及び環状磁石１８を組み込む作業について、本実施の形態と従来例とを比較する。
図３（ａ）は、マグネトロン１にシールド筒体１６及び環状磁石１８を組み込む前の図１の点線で囲まれた範囲Ａの拡大断面図であって、図３（ｂ）は、マグネトロン１にシールド筒体１６及び環状磁石１８を組み込んだ後の範囲Ａの拡大断面図である。また、図３（ｃ）は、マグネトロン１に従来のシールド筒体９６及び環状磁石１８を組み込んだ後の範囲Ａの拡大断面図である。
【００１９】
図３（ａ）に示すように、陽極筒体１１の下端開口部１１Ａに気密結合された陰極側の側管１５のフランジ部１５Ｂは、フランジ部１５Ｂの自由端から円筒状部１５Ａに向けて下方に傾斜している。そのため、磁気ヨーク１０からフランジ部１５Ｂまでの高さは、フランジ部１５Ｂの自由端から円筒状部１５Ａに向けて、低くなっている。したがって、シールド筒体１６及び環状磁石１８を組み込むスペースは、陽極筒体１１の下端開口部１１Ａから陽極筒体１１の中心軸に向うにつれ、わずかながら狭くなっている。このように、陰極側の側管１５のフランジ部１５Ｂが、フランジ部１５Ｂの自由端から円筒状部１５Ａに向けて傾斜しているのは、陽極筒体１１の内部の陰極フィラメント２３の軸を陽極筒体１１の軸に合わせるために、マグネトロン１にシールド筒体１６及び環状磁石１８を組み込む前に、陰極側の側管１５を変形させ同軸調整を行なったためである。
そのため、陰極側の側管１５が同軸調整を行なった状態から変形させないようにする必要がある。
【００２０】
しかしながら、図３（ｃ）に示すように、従来例のシールド筒体９６は、フランジ部９６Ｂの端部に形成された折り曲げ部９６Ｃが、陰極側の側管１５の側ではなく、環状磁石１８の側に折り曲げられている。そのため、フランジ部９６Ｂと円筒状部９６Ａとの境界部分が、陰極側の側管１５の円筒状部１５Ａとフランジ部１５Ｂとの境界部分に接触し、陰極側の側管１５が同軸調整を行なった状態から変形してしまい陽極筒体１１の内部の陰極フィラメント２３の軸と陽極筒体１１の軸がずれてしまう。
【００２１】
そこで、本実施の形態では、図３（ｂ）に示すように、シールド筒体１６をマグネトロン１に組み込んだ時に、フランジ部１６Ｂの自由端に形成された折り曲げ部１６Ｃが、陰極側の側管１５側に折り曲げられている。言い換えると、折り曲げ部１６Ｃは、フランジ部１６Ｂに対して、環状磁石１８の側ではなく、陰極側の側管１５の側に突出している。そのため、シールド筒体１６のフランジ部１６Ｂと円筒状部１６Ａとの境界部分が、円筒状部１５Ａとフランジ部１５Ｂとの境界部分に接触せず、陰極側の側管１５が同軸調整を行なった状態から変形することがない。
【００２２】
したがって、本実施の形態のマグネトロン１は、陽極筒体１１の内部の陰極フィラメント２３の軸を陽極筒体１１の軸に合わせるために行う陰極側の側管１５の変形を保持することができる。また、この陰極側の側管１５の変形を保持できるので、再度同軸調整が不要となりマグネトロン１の外装組み立て作業が容易になる。
【００２３】
図４（ａ）、（ｂ）に示すように、本実施の形態におけるシールド筒体の他の実施例を示す。図４（ａ）は、本実施の形態におけるシールド筒体の他の実施例であるシールド筒体３６を上方から見た平面図であり、図４（ｂ）は、シールド筒体３６の断面図を示す。
【００２４】
図４（ａ）、（ｂ）に示すように、シールド筒体３６は、略垂直方向に延びる円筒状部３６Ａと、円筒状部３６Ａの一端から、円筒状部３６Ａの全周に亘って略水平方向に延びるフランジ部３６Ｂとを備え、全体としてハトメ状の筒体として構成されている。また、図４（ａ）に示すように、フランジ部３６Ｂに形成された折り曲げ部３６Ｃは、フランジ部３６Ｂの全周に亘って、所定の間隔で配置されている。また、図４（ｂ）の矢印で示すように、折り曲げ部３６Ｃは、フランジ部３６Ｂの一部に略コの字状に切り込みを入れて、フランジ部３６Ｂの切り込み部分を、陰極側の側管１５に側に向けて折り曲げることで形成されている。
【００２５】
ここで、マグネトロン１にシールド筒体３６を組み込む場合、本実施の形態におけるシールド筒体１６と同様、シールド筒体３６をマグネトロン１に組み込んだ時に、折り曲げ部３６Ｃが、陰極側の側管１５の側に突出する。そのため、シールド筒体３６のフランジ部３６Ｂと円筒状部３６Ａとの境界部分が、陰極側の側管１５の円筒状部１５Ａとフランジ部１５Ｂとの境界部分に接触せず、陰極側の側管１５が同軸調整を行なった状態から変形することがない。
【００２６】
したがって、本実施の形態におけるシールド筒体１６の代わりに、他の実施例であるシールド筒体３６を用いても、本実施の形態のマグネトロン１は、陽極筒体１１の内部の陰極フィラメント２３の軸を陽極筒体１１の軸に合わせるために行う陰極側の側管１５の変形を保持することができる。また、この陰極側の側管１５の変形を保持できるので、再度軸合わせが不要となりマグネトロン１の外装組み立て作業が容易になる。
【００２７】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００２８】
本出願は、２００８年１２月２５日出願の日本特許出願（特願２００８−３２９９４３）に基づくものであり、その内容はここに参照として取り込まれる。
【産業上の利用可能性】
【００２９】
本発明に係るマグネトロンは、陰極フィラメントの軸合わせための陰極側の側管の変形を保持して、マグネトロンの外装組み立て作業時の軸合わせが不要となるという効果を有し、電子レンジ等のマイクロ波利用機器等として有用である。また、本発明に係るマイクロ波利用機器は、安定した特性を得ることが可能となる。
【符号の説明】
【００３０】
１              マグネトロン
１０            磁気ヨーク
１１            陽極筒体
１１Ａ          下端開口部
１２            出力側ポールピース
１２ａ          孔
１３            入力側ポールピース
１４            陽極側の側管
１５            陰極側の側管
１５Ａ          円筒状部
１５Ｂ          フランジ部
１６            シールド筒体
１６Ａ          円筒状部
１６Ｂ          フランジ部
１６Ｃ          折り曲げ部
１７            環状磁石
１８            環状磁石
１９            アノードベイン
２０            出力アンテナ
２３            陰極フィラメント
２４            上エンドシールド
２５            下エンドシールド
２６            センターリード
３６            シールド筒体
３６Ａ          円筒状部
３６Ｂ          フランジ部
３６Ｃ          折り曲げ部
９６            シールド筒体
９６Ａ          円筒状部
９６Ｂ          フランジ部
９６Ｃ          折り曲げ部
【手続補正２】
【補正対象書類名】特許請求の範囲
【補正対象項目名】全文
【補正方法】変更
【補正の内容】
【特許請求の範囲】
【請求項１】
陽極筒体と、
前記陽極筒体の下部に気密結合された陰極側の側管と、
略垂直方向に延びる円筒状部と、前記円筒状部に接続され、前記筒上部の全周に亘って、略水平方向に延びるフランジ部と、前記フランジ部の一部を前記陰極側の側管側に折り曲げた折り曲げ部と、を有し、前記陽極筒体の下端部で前記陰極側の側管に電気結合されたシールド筒体と、を備えるマグネトロン。
【請求項２】
前記折り曲げ部は、前記フランジ部の一部である前記フランジ部の自由端を前記陰極側の側管側に折り曲げることで形成される、請求項１に記載のマグネトロン。
【請求項３】
前記シールド筒体の前記折り曲げ部は、前記フランジ部の一部を略コの字状に切り込みを入れて、当該フランジ部の切り込み部分を、前記陰極側の側管側に折り曲げることで形成される、請求項１に記載のマグネトロン。
【請求項４】
請求項１乃至請求項３のいずれか一項に記載のマグネトロンが搭載されたマイクロ波利用機器。
【手続補正３】
【補正対象書類名】図面
【補正対象項目名】全図
【補正方法】変更
【補正の内容】
【図１】
2010073564.tif 000007
【図２】
2010073564.tif 000008
【図３】
2010073564.tif 000009
【図４】
2010073564.tif 000010
【国際調査報告】
2010073564.tif 000011
2010073564.tif 000012
2010073564.tif 000013
2010073564.tif 000014